(57)【要約】【課題】  高品質の防食を容易に形成できる水上構造物を提供する。【解決手段】  水上に配置されるベース部１１ａに杭体１２，１３が挿入される外挿管１１ｂ，１１ｃが取り付けられたジャケット部１１と、そのジャケット部１１を支持させる水中に打設された杭体１２，１３とを有する水上構造物１０である。  そして、斜杭１２の外周面の一部には防食層１４が形成されており、外挿管１１ｂの内周面には周方向及び延伸方向に間隔をおいて弾性緩衝材１５，・・・が取り付けられている。【選択図】  図１
2006152735.tif 000002
【特許請求の範囲】
【請求項１】
水上に配置されるベース部に杭体が挿入される外挿管が取り付けられたジャケット部と、そのジャケット部を支持させる水中に打設された杭体とを有する水上構造物であって、
前記杭体の外周面の一部には防食層が形成されており、一部又は全部の前記外挿管の内周面には周方向及び延伸方向に間隔をおいて弾性緩衝材が取り付けられたことを特徴とする水上構造物。
【請求項２】
前記弾性緩衝材は、板状の取付部と断面視台形状に成形された弾性スペーサとからなり、該弾性スペーサは前記外挿管の上方に向けて先細りとなるように取り付けられたことを特徴とする請求項１に記載の水上構造物。
【請求項３】
水上に配置されるベース部に杭体が挿入される外挿管が取り付けられたジャケット部と、そのジャケット部を支持させる水中に打設された杭体とを有する水上構造物の構築方法において、
前記ベース部に対して斜めに取り付けられた外挿管の内周面には周方向及び延伸方向に間隔をおいて弾性緩衝材を取り付けておき、水中に立設された鉛直杭に前記ジャケット部を支持させて、前記外挿管に外周面の一部に防食層が形成された杭体を挿入することを特徴とする水上構造物の構築方法。
【発明の詳細な説明】
【技術分野】
【０００１】
本発明は、水上に構築する人工地盤や桟橋などの水上構造物及びその構築方法に関するものである。
【背景技術】
【０００２】
従来、図５に示すような支持杭４，・・・で支持される水上構造物２が知られている（特許文献１など参照）。
【０００３】
この水上構造物２は、水面１下の水底地盤に間隔を置いて複数の支持杭４，・・・を立設し、その支持杭４，・・・に上部工３を装着することによって構築される。
【０００４】
また、支持杭４，・・・の水面１付近は、水面１の上下動によって乾湿が繰り返されて腐食し易いので丁重に防食工が施される。さらに、上部工３と支持杭４，・・・の接合部にも防食工が施される。
【０００５】
この防食工は、上部工３と支持杭４，・・・を接合した後に、水面１上及び水中作業によって防食カバー５，・・・を支持杭４，・・・に取り付けることによっておこなう。
【特許文献１】特開２００１−２８８７２４号公報（図１、０００２段落乃至００１６段落）
【発明の開示】
【発明が解決しようとする課題】
【０００６】
しかしながら、前記した従来の水上構造物２は、防食カバー５の取り付けを、上部工３と支持杭４，・・・を接合した後に水面１上及び水中作業によっておこなうことになるので、施工環境が悪い上に、上部工３の接合作業後に防食をおこなうことになるので工期が長くなる原因になる。
【０００７】
また、水中作業では高品質の防食を均一におこなうことが難しくなるため、品質が低下する部分が発生することを考慮して、一定の品質を確保するために防食を過剰におこなうことになる。
【０００８】
そこで、本発明は、高品質の防食を容易に形成できる水上構造物及びその構築方法を提供することを目的としている。
【課題を解決するための手段】
【０００９】
前記目的を達成するために、請求項１の発明は、水上に配置されるベース部に杭体が挿入される外挿管が取り付けられたジャケット部と、そのジャケット部を支持させる水中に打設された杭体とを有する水上構造物であって、前記杭体の外周面の一部には防食層が形成されており、一部又は全部の前記外挿管の内周面には周方向及び延伸方向に間隔をおいて弾性緩衝材が取り付けられた水上構造物であることを特徴とする。
【００１０】
また、請求項２に記載のものは、前記弾性緩衝材は、板状の取付部と断面視台形状に成形された弾性スペーサとからなり、該弾性スペーサは前記外挿管の上方に向けて先細りとなるように取り付けられた請求項１に記載の水上構造物であることを特徴とする。
【００１１】
さらに、請求項３に記載の発明は、水上に配置されるベース部に杭体が挿入される外挿管が取り付けられたジャケット部と、そのジャケット部を支持させる水中に打設された杭体とを有する水上構造物の構築方法において、前記ベース部に対して斜めに取り付けられた外挿管の内周面には周方向及び延伸方向に間隔をおいて弾性緩衝材を取り付けておき、水中に立設された鉛直杭に前記ジャケット部を支持させて、前記外挿管に外周面の一部に防食層が形成された杭体を挿入する水上構造物の構築方法であることを特徴とする。
【発明の効果】
【００１２】
このように構成された請求項１の発明は、前記ジャケット部を支持させる前記杭体の外周面の一部には防食層が形成されており、その杭体を挿入させる前記外挿管の内周面には、周方向及び延伸方向に間隔をおいて弾性緩衝材が取り付けられている。
【００１３】
このため、前記杭体の外周面に防食層を形成した後に前記外挿管に挿入しても前記防食層を傷つけることがないので、作業環境の良い陸上で高品質に施工された防食層を備えた杭体を容易に設置することができる。
【００１４】
また、請求項２に記載のものは、前記弾性緩衝材は、板状の取付部と断面視台形状に成形された弾性スペーサとからなり、その弾性スペーサは前記外挿管の上方に向けて先細りするように取り付けられる。
【００１５】
このため、前記外挿管の内周面に前記取付部を介して前記弾性緩衝材を容易に取り付けることができる上に、前記弾性スペーサが上方に向けて先細りとなるように取り付けられているため、容易に前記杭体を前記外挿管に挿入することができる。
【００１６】
さらに、請求項３に記載の発明は、前記弾性緩衝材を取り付けた外挿管に、外周面の一部に防食層が形成された杭体を挿入することによって水上構造物を構築する。
【００１７】
このため、作業環境の良い陸上で高品質に施工された防食層を備えた杭体を前記ジャケット部に挿入することで、容易に高品質に防食された水上構造物を構築することができる。
【発明を実施するための最良の形態】
【００１８】
以下、本発明の最良の実施の形態について図面を参照して説明する。
【００１９】
なお、前記従来例と同一乃至均等な部分については、同一符号を付して説明する。
【００２０】
図１及び図２は、本実施の形態による水上構造物１０の全体構成及び詳細構成を示した図である。
【００２１】
まず、図２を基にして全体構成から説明すると、このような本実施の形態の水上構造物１０は、水面１下の水底地盤に立設された複数の杭体としての斜杭１２及び鉛直杭１３と、その斜杭１２及び鉛直杭１３に支持されるジャケット部１１とから構成される。
【００２２】
このジャケット部１１は、上面が桟橋の床面又は桁部等として使用されるベース部１１ａと、そのベース部１１ａに取り付けられる外挿管１１ｂ，１１ｃとによって構成される。
【００２３】
この外挿管１１ｂ，１１ｃには、ベース部１１ａに斜めに取り付けられる外挿管１１ｂと、鉛直に取り付けられる外挿管１１ｃとがあり、斜めに取り付けられた外挿管１１ｂには斜杭１２が挿入され、鉛直に取り付けられた外挿管１１ｃには鉛直杭１３が挿入される。
【００２４】
この外挿管１１ｂ，１１ｃは、両端が開口された貫通管であって、その内周面には斜杭１２又は鉛直杭１３との結合力を高めるための溝部１６，・・・が刻設されている。
【００２５】
すなわち、斜杭１２又は鉛直杭１３と外挿管１１ｂ，１１ｃは、その間隙に充填されるモルタル等の充填材によって結合されるので、溝部１６，・・・によって摩擦抵抗を大きくすることで結合力を高めることができる。
【００２６】
さらに、外挿管１１ｂの内周面には、図３に示すように周方向及び延伸方向に間隔をおいて弾性緩衝材１５，・・・が取り付けられている。図３は、外挿管１１ｂの上縁及び下縁付近の内周面に、３０度又は６０度間隔でそれぞれ８箇所ずつ弾性緩衝材１５，・・・を取り付けた例を示したものである。
【００２７】
この弾性緩衝材１５は、斜杭１２の荷重の作用する割合の多い下面側及び上面側に多く配置されるのが好ましい。
【００２８】
そして、この弾性緩衝材１５は、図３，４に示すように取り付け用の座面を形成する板状の取付部１５ｂと、この取付部１５ｂに固定される弾性スペーサ１５ａとによって構成される。
【００２９】
この弾性スペーサ１５ａは、取り付け時に上方に向けられる側が先細りするように天然ゴムを断面視台形状に成形したものである。例えば、底辺が200mm、上辺が80mm、高さが50mmの台形が100mmの奥行きを有するように成形される。この弾性スペーサ１５ａの表面には、潤滑剤としてワセリン等を塗布するのが好ましい。
【００３０】
また、外挿管１１ｂ，１１ｃに挿入される斜杭１２及び鉛直杭１３の外周面には防食層１４を形成する。この防食層１４は、エポキシ樹脂材、ペトロラタム系防食材をプラスチック製又はチタン製の保護カバーで保護したもの、繊維強化ポリエステル又はガラス繊維強化ウレタンエラストマーの保護層を積層したもの、モルタル、ポリエチレン樹脂材などによって形成される。
【００３１】
このような防食層１４は、干満帯や飛沫帯等の乾湿を繰り返し、腐食しやすい部分を、他の部分よりも丁重に防食するために形成される。
【００３２】
次に、本実施の形態の水上構造物１０の構築方法について説明すると共に、その作用について説明する。
【００３３】
まず、陸上の作業ヤード又は工場で、ジャケット部１１を製作する。このジャケット部１１のベース部１１ａは、鋼管、形鋼、鋼板などを組み合わせて例えばトラス構造に形成する。
【００３４】
このベース部１１ａには、図２に示すように間隔をおいて複数の外挿管１１ｂ，１１ｃ，・・・を取り付ける。また、斜めに取り付ける外挿管１１ｂ，・・・の内周面には、取付部１５ｂの外周を半分程度溶接することによって弾性緩衝材１５，・・・を固定する（図３参照）。
【００３５】
さらに、鋼管によって構成される斜杭１２及び鉛直杭１３の外周面には、水中に打設する前に作業ヤードにおいて防食層１４を形成しておく。
【００３６】
そして、杭打ち船によって所定の間隔をおいて水面１下に鉛直杭１３，・・・を打設する。この鉛直杭１３，・・・は、下端は水底地盤に埋設され、上端は水面１より上方に突出される。
【００３７】
この突出した鉛直杭１３，・・・に、クレーン船で吊り上げたジャケット部１１の鉛直に取り付けた外挿管１１ｃ，・・・を挿入し、鉛直杭１３，・・・と外挿管１１ｃの間隙に充填材を充填することによって両者を接合する。
【００３８】
これによってジャケット部１１は、鉛直杭１３，・・・によって一時的に支持されることになる。この仮支持されたジャケット部１１には、斜めに向けた外挿管１１ｂ，・・・が取り付けられており、この外挿管１１ｂ，・・・をガイドにして斜杭１２，・・・を打設する。
【００３９】
この斜杭１２を打設する際には、クレーン船で斜めに吊り上げられた斜杭１２の下端を外挿管１１ｂの上部開口部から挿入して打設することになるが、斜めに吊るされた斜杭１２は状態が不安定である上に、斜めであるため外挿管１１ｂとの位置合わせが難しいので、外挿管１１ｂの内周面に接触させることなく斜杭１２を打設することは従来の技術では困難であった。
【００４０】
しかし、本実施の形態の外挿管１１ｂの内周面には、弾性緩衝材１５，・・・が取り付けられており、図１に示すように、斜杭１２の挿入時には斜杭１２の外周面と外挿管１１ｂの内周面の間には弾性緩衝材１５，・・・が介在されるため、防食層１４が外挿管１１ｂの内周面に接触して損傷することがない。
【００４１】
このようにして残りの斜杭１２，・・・を打設することで水上構造物１０は構築される。
【００４２】
以上に示したように、本実施の形態の水上構造物１０の構築方法によれば、ジャケット部１１を支持させるために打設される斜杭１２の外周面には予め防食層１４が形成されており、その斜杭１２を挿入させる外挿管１１ｂの内周面には、周方向及び延伸方向に間隔をおいて弾性緩衝材１５，・・・が取り付けられている。
【００４３】
このため、作業環境の良い陸上の作業ヤード等で高品質に防食された防食層１４を備えた斜杭１２を、外挿管１１ｂをガイドにして挿入するだけで容易に設置することができる。そして、このように斜杭１２を打設することで高品質に防食された水上構造物１０を容易に構築することができる。
【００４４】
また、この弾性緩衝材１５は、板状の取付部１５ｂと断面視台形状に成形された弾性スペーサ１５ａとからなり、その弾性スペーサ１５ａは外挿管１１ｂの上方に向けて先細りするように取り付けられる。
【００４５】
このため、外挿管１１ｂの内周面に取付部１５ｂを介して弾性緩衝材１５を容易に取り付けることができる。また、弾性スペーサ１５ａが上方に向けて先細りとなるように取り付けられているため、容易に斜杭１２を挿入することができる。
【００４６】
以上、図面を参照して、本発明の最良の実施の形態を詳述してきたが、具体的な構成は、この実施の形態に限らず、本発明の要旨を逸脱しない程度の設計的変更は、本発明に含まれる。
【００４７】
例えば、前記実施の形態では、斜杭１２を挿入する外挿管１１ｂの内周面に弾性緩衝材１５を取り付けた場合について説明したが、これに限定されるものではなく、ジャケット部１１を水面１上に配置した後に外挿管１１ｃをガイドにして一部の鉛直杭１３を打設する場合は、その外挿管１１ｃにも弾性緩衝材１５を取り付ける。
【００４８】
また、前記実施の形態では、弾性スペーサ１５ａとして天然ゴムを使用したが、これに限定されるものではなく、合成ゴムやポリウレタン合成樹脂等の合成樹脂材料を使用することもできる。
【図面の簡単な説明】
【００４９】
【図１】本発明の最良の実施の形態の水上構造物の構成の詳細を説明する説明図である。
【図２】本発明の最良の実施の形態の水上構造物の全体構成を説明する説明図である。
【図３】ジャケット部に取り付けられる外挿管の斜視図である。
【図４】（ａ）は弾性緩衝材の構成を説明する正面図、（ｂ）は弾性緩衝材の構成を説明する側面図である。
【図５】従来例の水上構造物の全体構成を説明する説明図である。
【符号の説明】
【００５０】
１                水面
１０              水上構造物
１１              ジャケット部
１１ａ            ベース部
１１ｂ，１１ｃ    外挿管
１２              斜杭（杭体）
１３              鉛直杭（杭体）
１４              防食層
１５              弾性緩衝材
１５ａ            弾性スペーサ
１５ｂ            取付部
【図１】
2006152735.tif 000003
【図２】
2006152735.tif 000004
【図３】
2006152735.tif 000005
【図４】
2006152735.tif 000006
【図５】
2006152735.tif 000007